(57)【特許請求の範囲】
【請求項１】
循環移動する搬送ベルトと、この搬送ベルトにおける移送経路の終端側に設けた用紙突き当てガイドとを備えたスタッカ装置において、搬送ベルトの上方に、スタックする用紙が通過しうるよう移送面と所定間隔をおいて位置するとともに、その上側が下側よりも移送面の移動方向側に位置するよう傾斜させた区画ガイドを設けたことを特徴とするスタッカ装置。
【発明の詳細な説明】
【０００１】
【発明の属する技術分野】
本発明は、スタッカ装置に関し、特に、循環移動する搬送ベルトと、この搬送ベルトにおける移送経路の終端側に設けた用紙突き当てガイドとを備えた、単片用紙をスタックするスタッカ装置に関する。
【０００２】
【従来の技術】
従来から、この種のスタッカ装置は知られており、用紙切断装置等の用紙処理装置から排出された単片用紙を、搬送ベルトで受けて移送し、移送経路の終端側に設けた用紙突き当てガイドによって起立状態としてスタックしていくものである。したがって、理論的には、搬送ベルトの長さに比例して、スタック量も増加することになるが、実際の従来におけるこの種スタック装置では、起立状態でスタックされた単片用紙のスタック量が増えてくるにしたがい、単片用紙の下端は移送経路の終端側に引っ張られるので、起立角度が徐々に大きくなっていき、ついには始端側に倒れて、起立状態が崩れてしまうという事態を生じていた。
【０００３】
【発明が解決しようとする課題】
このため、従来では、搬送ベルトを長く形成しても、この長さを生かした大量のスタックができなかった。また、上述の単片用紙の起立状態が崩れるという事態を生じると、スタック動作を継続できなくなるので、これを防ぐために従来は、作業員がスタック量を監視して、起立状態が崩れる前にスタックした単片用紙を取り除いていた。このように、従来は、作業員による監視作業が必要であるとともに、スタックスペースに余裕があるにも関わらず取り出し作業を行う必要があり、大量のスタックができないとともに、作業員の取り出し作業は煩雑で効率が悪いという不都合があった。
【０００４】
本発明は、このような従来の不都合を解消して、搬送ベルトの長さに応じた大量のスタックを連続的にすることができるスタッカ装置を提供することを目的とする。
【０００５】
【課題を解決するための手段】
この目的を達成するために、本願発明の請求項１に記載したスタッカ装置は、循環移動する搬送ベルトと、この搬送ベルトにおける移送経路の終端側に設けた用紙突き当てガイドとを備えたスタッカ装置において、搬送ベルトの上方に、スタックする用紙が通過しうるよう移送面と所定間隔をおいて位置するとともに、その上側が下側よりも移送面の移動方向側に位置するよう傾斜させた区画ガイドを設けたものである。
【０００６】
【発明の実施の形態】
以下、本発明の好適な実施の形態を添付図面に基づいて詳細に説明する。ここにおいて、図１はスタッカ装置の概略的な斜視図、図２〜図４は、それぞれスタック動作を示すスタッカ装置の一部を省略した概略的な側面図である。
【０００７】
図１に示すように、スタッカ装置１は、図示していない用紙処理装置の上下一対の排出ローラから排出された単片用紙２（図２〜図３参照）を受けて、図上左方向に移送するよう移送経路を形成する、幅広の搬送ベルト５を有している。この搬送ベルト５は、回転ローラ３，４に掛け渡されている。前記回転ローラ４は、図示していない駆動モータに回転力伝達機構を介して連繋され、搬送ベルト５は、図上、反時計方向に循環移動する。
【０００８】
搬送ベルト５の移送経路における始端側である、回転ローラ３側には、ライダーディスク６を回転可能に支持している。このライダーディスク６は、用紙処理装置から排出された単片用紙２の先端を受けるもので、処理対象であるこの単片用紙２の天地長に応じて配置位置を決定する。一方、搬送ベルト５の移送経路における終端側である、回転ローラ４側には、用紙突き当てガイド７を、移送面に対して終端側からほぼ４５度の角度で立ち上がるように設けている。
【０００９】
また、搬送ベルト５の上方には、単片用紙２を通過しうるように移送面と所定間隔、例えば２ｃｍ程度の間隔をおいて位置し、用紙突き当てガイド７と平行に配置した３つの区画ガイド８ａ，８ｂ，８ｃを設けている。図では明らかでないが、各区画ガイド８ａ，８ｂ，８ｃの下端側は、肉薄に形成している。そして、これら区画ガイド８ａ，８ｂ，８ｃは、昇降可能で、傾斜角度調整可能に構成している。次ぎに、昇降機構及び傾斜角度調整機構について説明するが、これら機構は各区画ガイド８ａ，８ｂ，８ｃにおいて同一構成なので、区画ガイド８ａについてのみ説明する。
【００１０】
区画ガイド８ａは、一側に設けた固定部でスライドブッシュ１２ａに固定されている。このスライドブッシュ１２ａ内に設けた図示していないギアが、前面を開放したケース内に回転可能に支持したスクリュー軸１１ａと噛み合っており、このスクリュー軸１１ａの上端は、ケース上面に取り付けた正逆回転可能な昇降モータ１０ａの駆動軸に連結している。したがって、前記昇降モータ１０ａの回転にともなうスクリュー軸１１ａの回転により、前記スライドブッシュ１２ａが上昇あるいは下降し、このスライドブッシュ１２ａとともに前記区画ガイド８ａも上昇あるいは下降するものである。前記区画ガイド８ａが上昇するか下降するかは、前記昇降モータ１０ａの回転方向で決定し、その移動量は、前記昇降モータ１０ａの回転量で決定する。
【００１１】
また、ケース背面には、正逆回転可能な傾斜角度調整モータ９ａの駆動軸を連結し、この傾斜角度調整モータ９ａは、搬送ベルト５の一側に位置する側壁（図示せず）に取り付けている。したがって、前記傾斜角度調整モータ９ａが回転すると、ケースが傾動し、スライドブッシュ１２ａも同方向に傾動することにより、区画ガイド８ａも傾動して、傾斜角度を変えるものである。この区画ガイド８ａの傾動方向は、前記傾斜角度調整モータ９ａの回転方向で決定し、その傾き量は、前記傾斜角度調整モータ９ａの回転量で決定する。
【００１２】
次に、本実施形態のスタック動作を説明する。用紙処理装置の排出ローラから単片用紙２が排出されると、排出された単片用紙２の先端がライダーディスク６に当接してスタッカテーブル上に載置され、各搬送ベルト５の図上反時計方向への循環移動により、前記単片用紙２は、各区画ガイド８ａ，８ｂ，８ｃの下を通過して、用紙突き当てガイド７方向に移送される。この時、各区画ガイド８ａ，８ｂ，８ｃは移送面と所定間隔をおいて位置しているので、前記単片用紙２は、支障なく円滑に移送される。
【００１３】
このようにして、用紙処理装置の排出ローラから順次排出された単片用紙２は、先に排出された単片用紙２の後端側に、その先端側が乗った状態で重なり合って、次々と移送されされていく。そして、用紙突き当てガイド７に最初の単片用紙２の先端が当接すると、この単片用紙２は用紙突き当てガイド７にガイドされて立ち上がり、スタックされる。この時、重なり合った各単片用紙２は、下に位置する先の単片用紙２が立ち上がるにつれて、順次立ち上がり、図２に示すように、移送されてきた単片用紙２が、次々と、前記用紙突き当てガイド７にスタックされていく。
【００１４】
用紙突き当てガイド７にスタックされた単片用紙２の量が一定以上になると、図３に示すように、立ち上がった単片用紙２の先端が区画ガイド８ａに当接する状態となる。すると、この単片用紙２は区画ガイド８ａにガイドされて立ち上がり、前記区画ガイド８ａにスタックされる。そして、これに続く各単片用紙２は、図４に示すように、順次前記区画ガイド８ａにスタックされていく。
【００１５】
このようにして、単片用紙２は、用紙突き当てガイド７にスタックされた単片用紙２の量が一定以上になると、区画ガイド８ａにスタックされ、この区画ガイド８ａにスタックされた単片用紙２の量が一定以上になると、次の区画ガイド８ｂにスタックされ、この区画ガイド８ｂにスタックされた単片用紙２の量が一定以上になると、さらに次の区画ガイド８ｃにスタックされていく。したがって、単位用紙２は所定量以上、一つのガイド７，８ａ，８ｂ，８ｃにスタックされることがないので、スタック中に搬送ベルト５の始端側に倒れて、起立状態が崩れてしまうことはない。
【００１６】
なお、本発明は、上述の実施形態に限定されるものではなく、例えば、各区画ガイド８ａ，８ｂ，８ｃを単片用紙２の移送方向に移動可能に構成し、移送経路終端側のガイド７，８ａ，８ｂのスタックが終了した時に、このガイド７，８ａ，８ｂにスタックされた最終の単片用紙２に当接するよう移送経路始端側のガイド８ａ，８ｂ，８ｃを移送経路終端側移動することにより、無駄なスペースをなくして、より大量の単片用紙２を、より効率よくスタックすることができる。
【００１７】
また、各区画ガイド８ａ，８ｂ，８ｃの数は３つに限らず、搬送ベルト５の長さや、単片用紙２の大きさ、あるいは紙質に応じて、適宜設けることができるものである。さらに、搬送ベルト５も、単片用紙２の大きさ、あるいは紙質に応じて、互いに平行に張設した複数本のベルトで構成してもよい。
【００１８】
【発明の効果】
以上のように、本発明の請求項１におけるスタッカ装置によれば、その上側が下側よりも移送面の移動方向側に位置するよう傾斜させた区画ガイドを設けることによって、スタックする単片用紙の起立状態が崩れることがないので、搬送ベルトの長さに応じた大量の単片用紙を連続的にスタックすることができるという効果を奏する。
【図面の簡単な説明】
【図１】  スタッカ装置を示す概略的な斜視図。
【図２】  スタッカ装置のスタック動作状態を示す一部を省略した概略的な側面図。
【図３】  スタッカ装置のスタック動作状態を示す一部を省略した概略的な側面図。
【図４】  スタッカ装置のスタック動作状態を示す一部を省略した概略的な側面図。
【符号の説明】
１      スタッカ装置
２      単片用紙
３，４      回転ローラ
５      搬送ベルト
６      ライダーディスク
７      用紙突き当てガイド
８ａ，８ｂ，８ｃ      区画ガイド
９ａ，９ｂ，９ｃ      傾斜角度調整モータ
１０ａ，１０ｂ，１０ｃ      昇降モータ
１１ａ，１１ｂ，１１ｃ      スクリュー軸
１２ａ，１２ｂ，１２ｃ      スライドブッシュ
【図１】
0003869161.tif 000002
【図２】
0003869161.tif 000003
【図３】
0003869161.tif 000004
【図４】
0003869161.tif 000005